(57)【特許請求の範囲】
【請求項１】
手差しされる用紙の挿入形態を２種類有する用紙挿入部と、
手差しされた用紙に印刷を行う印刷手段と、
前記用紙挿入部に挿入された用紙の前記挿入形態の種別を検出する挿入種別検出手段と、
２種類の挿入形態に対応して、用紙への印刷処理形態を２種類記憶する処理形態記憶手段と、
前記挿入種別検出手段の検出結果に基づいて、前記印刷処理形態を決定する処理形態決定手段と、
決定した前記印刷処理形態に基づいて、前記印刷手段を制御する制御手段と、を備え、
２種類の前記挿入形態に対応する２種類の前記印刷処理形態は、一方が、印刷指令を待って印刷を行うものであり、他方が、前記挿入形態にかかわらず行われた前回の印刷と同一内容の印刷を、印刷指令を待つことなく行うものであることを特徴とする印刷システム。
【請求項２】
前記処理形態記憶手段は、任意の１の前記挿入形態に対応して、複数の印刷処理形態を選択可能に記憶していることを特徴とする請求項１に記載の印刷システム。
【請求項３】
前記用紙挿入部は、それぞれがスリット状に形成された第１挿入口および第２挿入口を有し、 
前記用紙を前記第１挿入口から挿入する場合と前記第２挿入口から挿入する場合と、の２種類の挿入形態を有していることを特徴とする請求項１または２に記載の印刷システム。
【請求項４】
前記用紙挿入部は、スリット状に形成された単一の挿入口を有し、
前記用紙を前記挿入口の一方の端部側に寄せて挿入する場合と他方の端部側に寄せて挿入する場合と、の２種類の挿入形態を有していることを特徴とする請求項１または２に記載の印刷システム。
【請求項５】
前記用紙が、一方の端部に糊付け部を有する付箋紙であることを特徴とする請求項１ないし４のいずれかに記載の印刷システム。
【請求項６】
前記印刷手段を挟んで前記印刷用紙挿入部と反対側に用紙排出部を、更に備え、
前記印刷手段は、前記用紙挿入部から挿入された用紙を前記用紙排出部に向かって送りながら、印刷を行うことを特徴とする請求項１ないし５のいずれかに記載の印刷システム。
【請求項７】
２種類の挿入形態に対応して、用紙への印刷処理形態を２種類記憶する処理記憶手段と、
前記挿入種別検出手段の検出結果に基づいて、前記印刷処理形態を決定する処理形態決定手段と、
決定した前記印刷処理形態に基づいて、前記印刷手段を制御する制御手段と、を備えた情報処理装置に接続されるプリンタであって、
手差しされる用紙の挿入形態を２種類有する用紙挿入部と、
手差しされた用紙に印刷を行う印刷手段と、
前記用紙挿入部に挿入された用紙の前記挿入形態の種別を検出する挿入種別検出手段と、を備え、
２種類の前記挿入形態に対応する２種類の前記印刷処理形態は、一方が、印刷指令を待って印刷を行うものであり、他方が、前記挿入形態にかかわらず行われた前回の印刷と同一内容の印刷を、印刷指令を待つことなく行うものであることを特徴とするプリンタ。
【請求項８】
手差しされる用紙の挿入形態を２種類有する用紙挿入部と、
手差しされた用紙に印刷を行う印刷手段と、を備えたプリンタの制御方法であって、  
前記用紙挿入部に挿入された用紙の前記挿入形態の種別を検出する挿入種別検出工程と、
２種類の挿入形態に対応して、用紙への印刷処理形態を２種類記憶する処理形態記憶工程と、
前記挿入種別検出手段の検出結果に基づいて、前記印刷処理形態を決定する処理形態決定工程と、
決定した前記印刷処理形態に基づいて、前記用紙に印刷を行う印刷工程と、を実施し、
前記処理形態記憶工程で記憶される２種類の前記印刷処理形態は、一方が、印刷指令を待って印刷を行うものであり、他方が、前記挿入形態にかかわらず行われた前回の印刷と同一内容の印刷を、印刷指令を待つことなく行うものであることを特徴とするプリンタの制御方法。
【発明の詳細な説明】
【技術分野】
【０００１】
本発明は、主として、付箋紙に印刷データを印刷する印刷システム、プリンタおよびプリンタの制御方法に関するものである。
【背景技術】
【０００２】
従来、付箋紙に印刷を行う印刷装置として、付箋紙ホルダにセットした付箋紙束の最上位にある付箋紙を１枚ずつ剥がして送りながら、印刷処理を行なうものが知られている（例えば、特許文献１参照）。この印刷装置では、ユーザが印刷ごとに、登録されている印刷項目を選択して印刷するようになっている。これにより、使用頻度の高い印刷フォームを都度編集作成する必要がなく、使い勝手の良好なものとなる。
【特許文献１】特開２００６−１７５８７８号公報
【発明の開示】
【発明が解決しようとする課題】
【０００３】
しかし、上記印刷装置では、当該印刷装置に付箋紙を１枚ずつ剥がす機構が必要となり、構造が複雑になる問題があった。そこで、ユーザが付箋紙を一枚ずつ手差しするようにし、構造の単純化を図ることが考えられる。しかし、手差しで印刷を行う場合、所定の印刷フォームを使う場面で、その都度印刷キーを押して印刷を指令しなければならず、操作が煩雑であって、時間がかかるものとなる。
【０００４】
本発明は、ユーザによる印刷挿入部への挿入形態により、印刷処理形態を選択することができる印刷システム、プリンタおよびプリンタの制御方法を提供することを課題としている。
【課題を解決するための手段】
【０００５】
本発明の印刷システムは、手差しされる用紙の挿入形態を２種類有する用紙挿入部と、手差しされた用紙に印刷を行う印刷手段と、用紙挿入部に挿入された用紙の挿入形態の種別を検出する挿入種別検出手段と、２種類の挿入形態に対応して、用紙への印刷処理形態を２種類記憶する処理形態記憶手段と、挿入種別検出手段の検出結果に基づいて、印刷処理形態を決定する処理形態決定手段と、決定した印刷処理形態に基づいて、印刷手段を制御する制御手段と、を備え、２種類の挿入形態に対応する２種類の印刷処理形態は、一方が、印刷指令を待って印刷を行うものであり、他方が、挿入形態にかかわらず行われた前回の印刷と同一内容の印刷を、印刷指令を待つことなく行うものであることを特徴とする。
【０００６】
この構成によれば、挿入形態を複数有する用紙挿入部に、用紙が手指しで挿入されると、その挿入形態を挿入種別検出手段が検出する。そして、当該挿入形態に応じて、処理形態決定手段が用紙に対する印刷処理形態を決定し、これに基づいて印刷手段を制御して用紙に印刷を行わせる。このため、ユーザが手差しによる印刷挿入部への挿入形態を選定することで、用紙に対する印刷処理形態を自動的に選択することができる。
また、一方の挿入形態により前回と同一内容を印刷できるため、繰返し同一内容の印刷を望む場合、操作が簡単でかつ印刷処理が迅速に行われるため有用である。また、他方の挿入形態により印刷指令を待って印刷を実行することもできるため、印刷内容を変更したい場合や連続して印刷が実行されたくない場合に便利である。したがって、単純な操作で使い勝手の良好なものとなる。
【０００７】
これらの場合、処理形態記憶手段は、任意の１の挿入形態に対応して、複数の印刷処理形態を選択可能に記憶していることが、好ましい。
【０００８】
この構成によれば、複数の印刷処理形態、例えば複数の印刷フォームを予め記憶し、その１つを挿入形態に対応させることができ、挿入形態の数が少ない場合でも、各種の印刷処理が可能となる。
【０００９】
これらの場合、用紙挿入部は、それぞれがスリット状に形成された第１挿入口および第２挿入口を有し、用紙を第１挿入口から挿入する場合と第２挿入口から挿入する場合と、の２種類の挿入形態を有していることが、好ましい。
【００１０】
この構成によれば、２つの用紙挿入口を有するため、２つの挿入形態、すなわち２つの印刷処理形態を明確に区別することができる。
【００１１】
同様に、用紙挿入部は、スリット状に形成された単一の挿入口を有し、用紙を挿入口の一方の端部側に寄せて挿入する場合と他方の端部側に寄せて挿入する場合と、の２種類の挿入形態を有していることが、好ましい。
【００１２】
この構成によれば、用紙を挿入口の両端部のいずれかに寄せて挿入するだけで、２つの挿入形態すなわち２つの印刷処理形態を明確に区別することができる。
【００１３】
これらの場合、用紙が、一方の端部に糊付け部を有する付箋紙であることが好ましい。
【００１４】
この構成によれば、付箋紙の特徴を考慮した印刷処理が可能となり、付箋紙への印刷処理に有用なものとなる。
【００１５】
これらの場合、印刷手段を挟んで印刷用紙挿入部と反対側に用紙排出部を、更に備え、印刷手段は、用紙挿入部から挿入された用紙を用紙排出部に向かって送りながら、印刷を行うことが好ましい。
【００１６】
この構成によれば、用紙が一方向にのみ移動しながら印刷されるので、構造を単純化できると共に小型化を達成することができる。
【００１７】
本発明のプリンタは、２種類の挿入形態に対応して、用紙への印刷処理形態を２種類記憶する処理記憶手段と、挿入種別検出手段の検出結果に基づいて、印刷処理形態を決定する処理形態決定手段と、決定した印刷処理形態に基づいて、印刷手段を制御する制御手段と、を備えた情報処理装置に接続されるプリンタであって、手差しされる用紙の挿入形態を２種類有する用紙挿入部と、手差しされた用紙に印刷を行う印刷手段と、用紙挿入部に挿入された用紙の前記挿入形態の種別を検出する挿入種別検出手段と、を備え、２種類の前記挿入形態に対応する２種類の前記印刷処理形態は、一方が、印刷指令を待って印刷を行うものであり、他方が、前記挿入形態にかかわらず行われた前回の印刷と同一内容の印刷を、印刷指令を待つことなく行うものであることを特徴とする。
【００１８】
この構成によれば、挿入形態を複数有する用紙挿入部に、用紙が手指しで挿入されると、情報処理装置がその挿入形態を挿入種別検出手段が検出する。さらに情報処理装置は、当該挿入形態に応じて、処理形態決定手段が用紙に対する印刷処理形態を決定し、これに基づいて印刷手段を制御して用紙に印刷を行わせる。このため、ユーザが手差しによる印刷挿入部への挿入形態を選定することで、用紙に対する印刷処理形態を自動的に選択することができる。
また、一方の挿入形態により前回と同一内容を印刷できるため、繰返し同一内容の印刷を望む場合、操作が簡単でかつ印刷処理が迅速に行われるため有用である。また、他方の挿入形態により印刷指令を待って印刷を実行することもできるため、印刷内容を変更したい場合や連続して印刷が実行されたくない場合に便利である。したがって、単純な操作で使い勝手の良好なものとなる。
【００２０】
本発明のプリンタの制御方法は、手差しされる用紙の挿入形態を２種類有する用紙挿入部と、手差しされた用紙に印刷を行う印刷手段と、を備えたプリンタの制御方法であって、用紙挿入部に挿入された用紙の挿入形態の種別を検出する挿入種別検出工程と、２種類の挿入形態に対応して、用紙への印刷処理形態を２種類記憶する処理形態記憶工程と、挿入種別検出手段の検出結果に基づいて、印刷処理形態を決定する処理形態決定工程と、決定した印刷処理形態に基づいて、用紙に印刷を行う印刷工程と、を実施し、処理形態記憶工程で記憶される２種類の印刷処理形態は、一方が、印刷指令を待って印刷を行うものであり、他方が、挿入形態にかかわらず行われた前回の印刷と同一内容の印刷を、印刷指令を待つことなく行うものであることを特徴とする。
【発明を実施するための最良の形態】
【００２１】
以下、添付した図面を参照して、本発明の一実施形態に係る印刷システムについて説明する。この印刷システムは、パーソナルコンピュータ（以下、「パソコン」という。）と、プリンタと、を接続して、パソコンの有するデータ処理機能を利用して付箋紙に所望の印刷を行うものである。
【００２２】
図１に示すように、印刷システム１は、パソコン２と、プリンタ３と、から構成されている。パソコン２は、パソコン本体４と、印刷データなどを入力および編集するキーボード５およびマウス６と、印刷データなどを表示するディスプレイ７と、から構成されている。
【００２３】
図２に示すように、プリンタ３は、付箋紙Ｈをプリンタ３に挿入する挿入部（用紙挿入部）３１および印刷された付箋紙Ｈをプリンタ３から排出する排出部（用紙排出部）３４を有する装置ケース１０と、装置ケース１０に収容され、挿入部３１から挿入された付箋紙Ｈを先方に送る紙送り機構３２と、紙送り機構３２の送り方向下流に設けられ、付箋紙Ｈに印刷を行う印刷機構３３と、付箋紙Ｈの挿入を検出する挿入検出ユニット３５と、を備えている。
【００２４】
挿入部３１は、印刷する付箋紙Ｈをプリンタ３内部に取り込む為の部位であり、装置ケース１０の上部に形成したスリット状の第１挿入口１１と、下部に形成したスリット状の第２挿入口１２と、を有している。第1挿入口１１は、付箋紙Ｈを斜め下向きに紙送り機構３２に導き、第２挿入口１２は、水平に紙送り機構３２に導くようになっている。排出部３４は、印刷済の付箋紙Ｈをプリンタ３の外部に送り出すための部位であり、第１挿入口１１と対面する装置ケース１０の背面に設けられたスリット状の排出口１３で構成されている。すなわち、付箋紙Ｈは、挿入部３１から手差しされ、略水平に一方向に送られ、印刷を経て排出部３４から排出される。
【００２５】
紙送り機構３２は、送りモータ５９（図３参照）と、送りモータ５９により駆動する駆動ローラ１４および従動ローラ１５から成る送りローラ１６と、を有している。付箋紙Ｈが挿入されると駆動ローラ１４は、送りモータ５９により駆動し、駆動ローラ１４とそれに伴って回転する従動ローラ１５とで付箋紙Ｈを挟み込み印刷機構３３へと導くようになっている。
【００２６】
印刷機構３３は、インクリボンＲを収容したリボン供給ユニット３６と、プラテンローラ１７と、プラテンローラ１７と共に付箋紙ＨおよびインクリボンＲを挟み込んで印刷を行うサーマルヘッド１９と、プラテンローラ１７を駆動する印刷送りモータ５８（図３参照）と、を有している。リボン供給ユニット３６は、いわゆるリボンカートリッジＣで構成され、インクリボンＲを巻回した繰出リール１８ａと、繰出リール１８ａから繰出されたインクリボンＲを巻き取る巻取リール１８ｂと、を収容して構成されている。印刷送りモータ５８の動力は、図外の歯車列を介してプラテンローラ１７および巻取リール１８ｂに伝達され、付箋紙ＨとインクリボンＲとはサーマルヘッド１９の部分で併走して印刷が行われる。
【００２７】
挿入検出ユニット３５は、付箋紙Ｈの挿入形態の挿入種別を検出する部位であり、第１挿入口１１と紙送り機構３２との間に設置され、第１挿入口１１に挿入された付箋紙Ｈを検出する第１検出センサ２０と、第２挿入口１２と紙送り機構３２との間に設置され、第２挿入口１２に挿入された付箋紙Ｈを検出する第２検出センサ２１と、を有して成る。第１検出センサ２０は、第１挿入口１１の挿入路１１ａに形成した開口１１ｂに下側から臨むように配置した反射型の光センサで構成され、付箋紙Ｈの挿入と付箋紙Ｈの先端を検出する。同様に、第２検出センサ２１は、第２挿入口１２の挿入路１２ａに形成した開口１２ｂに下側から臨むように配置した反射型の光センサで構成され、付箋紙Ｈの挿入と付箋紙Ｈの先端を検出する。
【００２８】
第１検出センサ２０および第２検出センサ２１により、付箋紙Ｈの先端が検出されると、これをトリガとして送りモータ５９が回転を開始する。詳細は後述するが、第１挿入口１１から付箋紙Ｈが挿入されると、送りモータ５９が回転を開始し、数秒後（送りローラ１６とプラテンローラ１７の距離分）に印刷送りモータ５８が回転を開始する。すなわち、第１挿入口１１から付箋紙Ｈが挿入されると、自動的に印刷が行われる。一方、第２挿入口１２から付箋紙Ｈが挿入されると、送りモータ５９が回転を開始するが、送りローラ１６が付箋紙Ｈを挟み込んだところで停止する。その後、印刷開始の指令を待って送りモータ５９および印刷送りモータ５８が回転し印刷が行われる。なお、請求項にいう「挿入形態」とは、印刷に使用する付箋紙Ｈが第１挿入口１１あるいは第２挿入口１２のいずれに挿入されたかを指す。
【００２９】
次に、図３を参照して、印刷システム１の制御系の構成について説明する。プリンタ３は、検出部５１と、印刷処理部５２と、駆動部５３と、これら各部が接続され、プリンタ３全体を制御する制御部５５と、から構成されている。検出部５１は、第１検出センサ２０および第２検出センサ２１を有し、付箋紙Ｈの挿入形態の種別を検出する。印刷処理部５２は、上記の紙送り機構３２および印刷機構３３から成り、サーマルヘッド１９と、印刷送りモータ５８と、送りモータ５９と、リボンカートリッジＣと、を有する。印刷処理部５２は、印刷送りモータ５８および送りモータ５９による紙送り動作に同期しながら、パソコン２から受信した印刷フォームを付箋紙Ｈ上に印刷する。駆動部５３は、ヘッドドライバ５６と、印刷送りモータドライバ５７と、送りモータドライバ６０を有し、サーマルヘッド１９、印刷送りモータ５８および送りモータ５９をそれぞれ駆動する。
【００３０】
パソコン２は、操作部６１と、表示部６２と、記憶部６３と、これら各部が接続され、パソコン２全体を制御する制御部６４と、から構成されている。操作部６１は、キーボード５と、マウス６と、を有し、印刷フォームの選択、作成、修正および保存や印刷開始の指令などを行う。表示部６２は、ディスプレイ７を有し、作成された印刷フォームなどを表示する。制御部６４は、ＣＰＵ、ＲＯＭおよびＲＡＭを有する（いずれも図示省略）。記憶部６３は、ハードディスク６５を有し、ハードディスク６５には、付箋紙印刷を行うための印刷フォーム作成アプリケーションおよびプリンタ３を駆動制御するためのプリンタドライバが記憶されている。なお、これら印刷フォーム作成アプリケーションおよびプリンタドライバは、不図示のＣＤドライブにより、ＣＤ−ＲＯＭ８（図１参照）を読み取ることによってインストールされたものである。
【００３１】
印刷フォーム作成アプリケーションは、付箋紙Ｈが挿入された挿入口に応じて印刷処理形態を決定する。具体的には、第１挿入口１１に付箋紙Ｈが挿入された場合、前回の印刷データと同内容の印刷データを生成し、プリンタ３に送信する。一方、第２挿入口１２に付箋紙Ｈが挿入された場合、予め設定された印刷フォームに基づいて印刷データを生成し、プリンタ３に送信する。
【００３２】
印刷フォーム作成アプリケーションは、予め複数の印刷フォーム（雛形）を有しており、図５（ａ）に示す印刷フォーム設定画面１０１において、第２挿入口１２に付箋紙Ｈが挿入された場合の印刷フォームを選択できるようになっている。本実施形態では、印刷フォームとして、「ＴＥＬ」、「確認」、「回覧」および「印刷フォーム作成」の中からいずれかを選択できるようになっている。例えば、「ＴＥＬ」が選択された場合は、図５（ｂ）に示すように、電話があったことを伝えるための伝言メモ１０６を印刷する。また、「印刷フォーム作成」が選択された場合は、不図示の描画ツールを用いてオリジナルの印刷フォームが作成され、当該オリジナルの印刷フォームを印刷する。また、作成された印刷フォームは、保存ボタン１０５の押下によって、ハードディスク６５内に保存できる。また、選択または作成された印刷フォームは、編集ボタン１０４の押下によって編集が可能である。なお、各印刷フォームは、ユーザが印刷ボタン１０３の押下によって、プリンタ３に対して印刷指令を行うことで印刷される。
【００３３】
次に、図４を参照して、印刷システム１による手差しされた付箋紙Ｈ上に印刷フォームを印刷する印刷処理の手順について説明する。まず、プリンタ３は、第１検出センサ２０または第２検出センサ２１により付箋紙Ｈが第１挿入口１１または第２挿入口１２に挿入されたことを検出すると（Ｓ１：Ｙｅｓ）、その検出結果をパソコン２に送信する（Ｓ２）。パソコン２は、プリンタ１から送信された検出結果を受信し（Ｓ３）、第１検出センサ２０による検出結果であるか否かを判別する。
【００３４】
ここで、第１検出センサ２０による検出結果を取得した場合は（Ｓ４：Ｙｅｓ）、印刷処理形態を第１パターンとする（処理形態決定手段）（Ｓ５）。第１パターンとは、前回と同一内容の印刷データをプリンタ１に印刷させる印刷処理形態である。このため、パソコン２は、印刷データ送信後も、生成した印刷データをＲＡＭ内に保持しておく。一方、第２検出センサ２１による検出結果を取得した場合は（Ｓ４：Ｎｏ）、印刷処理形態を第２パターンとする（処理形態決定手段）（Ｓ６）。第２パターンとは、予め設定された印刷フォームに基づく印刷データをプリンタ３に印刷させる印刷処理形態である。パソコン２は、印刷処理形態を第１パターンと決定した場合は、保持しておいた前回の印刷データを読み出して印刷データを生成し（Ｓ７）、プリンタ３に送信する（Ｓ８）。また、印刷処理形態を第２パターンと決定した場合は、ユーザの操作による印刷指令を待って（Ｓ９）、設定された印刷フォームに基づく印刷データを生成し（Ｓ７）、プリンタ３に送信する（Ｓ８）。プリンタ３は、パソコン２から印刷データを受信すると（Ｓ１０）、当該印刷データに基づいて付箋紙Ｈに印刷を行う(印刷手段)（Ｓ１１）。
【００３５】
以上のとおり、第１実施形態によれば、付箋紙Ｈの挿入形態に応じて、処理形態決定手段が付箋紙Ｈに対する印刷処理形態を決定し、これに基づいて印刷を行わせることができる。このため、ユーザが手差しによる挿入部３１への挿入形態を選定することで、付箋紙Ｈに対する印刷処理形態を自動的に選択することができる。
【００３６】
また、複数の印刷処理形態として複数の印刷フォームを予め記憶し、その１つを挿入形態に対応させることができるため、挿入形態の数が少ない場合でも、多様な印刷結果を得ることができる。
【００３７】
また、プリンタ３とパソコン２と、をリンクさせて印刷システム１が構築されるため、プリンタ３は、用紙の挿入形態を識別して印刷を行う機能だけでよく、その分プリンタ３を単純な構造とすることができ、プリンタ３のコストダウンを図ることができる。
【００３８】
なお、本実施形態では、印刷処理形態を第１パターンとするための検出を行うセンサを第１検出センサ２０、印刷処理形態を第２パターンとするための検出を行うセンサを第２検出センサ２１としているが、これらの配設位置（挿入口の位置）が入れ替わっても挿入形態が特定できれば差し支えない。
【００３９】
次に、図６を参照して、第２実施形態に係るプリンタ３について説明する。このプリンタ３は、第１実施形態と挿入部３１の構造が異なるが、第１実施形態と同様に２種類の印刷形態を印刷することができる。なお、重複した記載を避けるべく、異なる部分についてのみ説明する。
【００４０】
このプリンタ３は、挿入部３１に単一の用紙挿入口１５１を有し、スリット状に形成された用紙挿入口１５１の両端部に臨んで装置ケース内に左検出センサ１５２および右検出センサ１５３から成る挿入検出ユニット３７が配設されている。用紙挿入口１５１の一方の側(図示向かって左側)の左検出センサ１５２は、上記の第１検出センサ２０と同一の構成を成し、前回と同一の内容を印刷する付箋紙Ｈを検出するセンサとして機能する。用紙挿入口１５１の他方の側（図示向かって右側）の右検出センサ１５３は、上記の第２検出センサ２１と同様の機能を有し、記憶された印刷フォームをユーザが印刷する付箋紙Ｈを検出するセンサとして、機能する。すなわち、用紙挿入口１５１が１つであることから、用紙挿入口１５１の左側に寄せて付箋紙Ｈを挿入すると左検出センサ１５２がこれを検出し、右側に寄せて付箋紙Ｈを挿入すると右検出センサ１５３がこれを検出する。そして、これらの検出結果に従って、印刷処理が実行される。
【００４１】
このように第２実施形態によれば、付箋紙Ｈを用紙挿入口１５１の左右いずれかに寄せて挿入するだけで、２つの挿入形態すなわち２つの印刷処理形態を明確に区別することができる。また、第１実施形態のように２つの挿入口を備えた構成と比較して装置の小型化および低廉化を図ることができる。
【００４２】
なお、本実施形態では、単一の用紙挿入口１５１が水平方向に延在する横型であり、印刷処理形態を第１パターンとするための検出を行うセンサを左検出センサ１５２、印刷処理形態を第２パターンとするための検出を行うセンサを右検出センサ１５３としているが、これらの配設位置が入れ替わっても挿入形態が特定できれば差し支えない。
【００４３】
さらに、本実施形態では、単一の用紙挿入口１５１が横型の場合を示したが、用紙挿入口１５１が鉛直方向あるいは鉛直方向に対し傾いた縦型に形成してもよい。特に図示はしないが、この場合も用紙挿入口が横型の場合と同様に、印刷処理形態を第１パターンあるいは印刷処理形態を第２パターンとするための検出を行うセンサを用紙挿入口の上下に配設でき、且つこれらの配設位置が入れ替わっても挿入形態が特定できれば差し支えない。
【００４４】
また、第１検出センサ２０、第２検出センサ２１、左検出センサ１５２および右検出センサ１５３は、付箋紙Ｈを認識できればよく、フォトセンサの他、マイクロスイッチで構成してもよい（縦型の用紙挿入口でも同様）。
【００４５】
以上のように、いずれの実施形態においても付箋紙Ｈがプリンタ３に手差しされると、挿入形態に応じて、印刷処理形態が自動的に選択される。このため、ユーザは、前回と同一内容を印刷したい場合には自動的に前回と同一内容が印刷された付箋紙Ｈを作成でき、印刷内容を変更する等の場合には印刷の指示をすることができ、所望の情報が印刷された付箋紙Ｈを作成することができる。
【００４６】
なお、上記の実施形態では、印刷処理形態として、第２挿入口１２に付箋紙Ｈが挿入された場合の印刷フォームを設定できるものとしたが、設定した同内容の印刷フォームを繰り返し印刷させるのではなく、ナンバリング印刷など、印刷フォームの一部の情報を更新／変更しながら、毎回異なる印刷データを印刷させるようにしても良い。また、第１パターンの印刷処理形態（第１実施形態の場合、第２挿入口１２に付箋紙が挿入された場合の印刷処理形態）だけでなく、第２パターンの印刷処理形態（第１実施形態の場合、第１挿入口１１に付箋紙が挿入された場合の印刷処理形態）についても設定できるようにしても良い。
【００４７】
また、挿入口が２つの場合と、１つの場合について例示したが、３つ以上であっても良いし、挿入口が複数で且つ各挿入口の挿入方法（右に寄せるか左に寄せるか）によって、異なる印刷処理形態を決定できるようにしても良い。
【００４８】
また、上記の実施形態では、プリンタ３とパソコン２から成る印刷システム１を例示したが、パソコン２の印刷フォーム作成アプリケーションをプリンタ３に組み込み、上記の印刷システム１をプリンタ単体で実現できるようにしても良い。
【図面の簡単な説明】
【００４９】
【図１】本実施形態に係る印刷システムの模式図である。
【図２】プリンタの断面模式図である。
【図３】印刷システムの機能ブロック図である。
【図４】印刷動作を示すフローチャートである。
【図５】印刷フォーム選択画面および印刷フォーム画面の模式図である。
【図６】第２実施形態に係るプリンタの断面模式図およびプリンタの用紙挿入部の正面模式図である。
【符号の説明】
【００５０】
１…印刷システム  ２…パソコン  ３…プリンタ  ４…  ２０…第１検出センサ  ２１…第２検出センサ  １５２…左検出センサ  １５３…右検出センサ  Ｈ…付箋紙
【図１】
0005003318.tif 000002
【図２】
0005003318.tif 000003
【図３】
0005003318.tif 000004
【図４】
0005003318.tif 000005
【図５】
0005003318.tif 000006
【図６】
0005003318.tif 000007